(57)【要約】【課題】無線制御装置の各各に対してどの無線送受信装置を割り当てるのかを算出する際にハンドオーバの頻発を避けるように割り当てを行うことを図る。【解決手段】無線制御装置のトラヒック負荷量と無線制御装置に接続している無線送受信装置のトラヒック負荷量を管理する負荷情報管理部１２と、第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定する切替制御部１３と、を備える。【選択図】図２
2013211783.tif 000002
【特許請求の範囲】
【請求項１】
複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出装置であり、
無線制御装置のトラヒック負荷量と無線制御装置に接続している無線送受信装置のトラヒック負荷量を管理する負荷情報管理部と、
第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定する切替制御部と、
を備えたことを特徴とする無線システム構成算出装置。
【請求項２】
前記切替制御部は、過負荷状態であると判断された無線制御装置に接続している第１の無線送受信装置を新たに接続できると判断した無線制御装置が複数ある場合には、第１の無線送受信装置の通信エリアとより長く境界を接する通信エリアを有する第２の無線送受信装置を接続している無線制御装置を優先して、第１の無線送受信装置が接続する無線制御装置に選択する、
ことを特徴とする請求項１に記載の無線システム構成算出装置。
【請求項３】
前記切替制御部は、低負荷状態であると判断された無線制御装置に接続している第１の無線送受信装置を新たに接続できると判断した無線制御装置が複数ある場合には、複数の第１の無線送受信装置において新たに接続する先の無線制御装置として最も選択されていない無線制御装置を優先して、第１の無線送受信装置が接続する無線制御装置に選択する、
ことを特徴とする請求項１又は２に記載の無線システム構成算出装置。
【請求項４】
前記無線制御装置が前記負荷情報管理部および前記切替制御部を有し、
第１の無線送受信装置が接続する無線制御装置を変更する際に、無線制御装置間で、第１の無線送受信装置が接続する無線制御装置を決定するための情報を交換する、
ことを特徴とする請求項１から３のいずれか１項に記載の無線システム構成算出装置。
【請求項５】
複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出方法であり、
無線制御装置のトラヒック負荷量と無線制御装置に接続している無線送受信装置のトラヒック負荷量を管理するステップと、
第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定するステップと、
を含むことを特徴とする無線システム構成算出方法。
【請求項６】
複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出処理を行うためのコンピュータプログラムであって、
無線制御装置のトラヒック負荷量と無線制御装置に接続している無線送受信装置のトラヒック負荷量を管理するステップと、
第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定するステップと、
をコンピュータに実行させるためのコンピュータプログラム。
【発明の詳細な説明】
【技術分野】
【０００１】
本発明は、無線システム構成算出装置、無線システム構成算出方法およびコンピュータプログラムに関する。
【背景技術】
【０００２】
例えば非特許公報１，２には、従来の基地局の機能を、無線送受信機能を有する無線部と無線部を制御する無線制御部とに分離し、複数の無線制御部を１箇所に集約した無線アクセスネットワークシステム（以下、Cloud‐RANと称する）が記載されている。Cloud-RANでは、トラヒックの状況に応じて、一無線制御部が一無線部を制御したり、又は、一無線制御部が複数の無線部を制御したりする。これにより、限られた無線制御部のリソースを効率的に利用することができる。
【先行技術文献】
【非特許文献】
【０００３】
【非特許文献１】Nokia Siemens Networks, Liquid Radio, インターネット＜ＵＲＬ：http://nsnjapan.jp/topics/event/110712_interview_2.html＞
【非特許文献２】Alcatel-Lucent, Light Radio, インターネット＜ＵＲＬ：http://www.alcatel-lucent.com/features/light_radio/index.html＞
【発明の概要】
【発明が解決しようとする課題】
【０００４】
しかし、上述した従来のCloud‐RANでは、無線制御部に対してどの無線部を制御するように割り当てるのかを決める際にトラヒックの状況を考慮するが、以下に示すような不都合が生じている。
【０００５】
図１７は、Cloud‐RANの構成例である。図１７には、３台の無線制御部１００，２００，３００と１１台の無線部ａ〜ｋが示されている。無線部ａ〜ｇは無線制御部１００に接続されている。無線制御部１００の無線リソース使用率（トラヒック負荷量に対応する）は５０％であり、その内訳として各無線部ａ〜ｇの無線リソース使用率（カッコ内の数字）が示されている。無線部ｈ〜ｊは無線制御部２００に接続されている。無線制御部２００の無線リソース使用率は２５％であり、その内訳として各無線部ｈ〜ｊの無線リソース使用率が示されている。無線部ｋは無線制御部３００に接続されている。無線制御部３００の無線リソース使用率は３３％であり、その内訳として無線部ｋの無線リソース使用率が示されている。
【０００６】
図１７において、無線部ｃに在圏する無線端末４００が経路５００を移動する場合に、無線端末４００が接続する無線制御部は、無線制御部１００から無線制御部２００、そして無線制御部３００の順に推移する。
【０００７】
次に、図１８に示すように、無線制御部１００に接続される無線部ａ〜ｇのトラヒック負荷量が増加し、無線制御部１００のトラヒック負荷量が１１０％（オーバロード状態）になったとする。このとき、トラヒックが集中する無線制御部１００がカバーする通信エリアに対して、無線制御部２００および無線制御部３００の無線リソースを割当てることにより、無線リソースの効率的な利用を図ることができる。このために、無線制御部１００に接続される無線部を無線制御部２００又は無線制御部３００へ接続切替を行うことにより、無線制御部１００のトラヒック負荷量を分散する。
【０００８】
ここでは、無線制御部１００に接続される無線部の中で最もトラヒック負荷量の高い無線部ａを、無線制御部の中で最もトラヒック負荷量の低い無線制御部２００に接続切替を行い、無線制御部１００に接続される無線部の中で２番目にトラヒック負荷量の高い無線部ｅを、無線制御部の中で２番目にトラヒック負荷量の低い無線制御部３００に接続切替を行うとする。この接続切替後のCloud‐RANの構成は図１９となる。
【０００９】
図１９においては、無線部ａおよび無線部ｅの切替によって、無線制御部１００のトラヒック負荷量は６０％まで低下している。ここで、図１７と同様に、無線部ｃに在圏する無線端末４００が経路５００を移動する場合に、無線端末４００が接続する無線制御部は、無線制御部１００から無線制御部２００、無線制御部３００、無線制御部１００、無線制御部２００、そして無線制御部３００の順に推移する。このように、図１９のCloud‐RANの構成では、図１７のCloud‐RANの構成に比較して、無線端末４００が接続する無線制御部は度々変わっており、ハンドオーバ処理が頻発している。
【００１０】
本発明は、このような事情を考慮してなされたもので、複数の無線部（無線送受信装置）と複数の無線制御部（無線制御装置）との間の接続を設定可能な無線アクセスネットワークシステムにおいて、無線制御装置の各各に対してどの無線送受信装置を割り当てるのかを算出する際に、ハンドオーバの頻発を避けるように割り当てを行うことができる、無線システム構成算出装置、無線システム構成算出方法およびコンピュータプログラムを提供することを課題とする。
【課題を解決するための手段】
【００１１】
上記の課題を解決するために、本発明に係る無線システム構成算出装置は、複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出装置であり、無線制御装置のトラヒック負荷量と無線制御装置に接続している無線送受信装置のトラヒック負荷量を管理する負荷情報管理部と、第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定する切替制御部と、を備えたことを特徴とする。
【００１２】
本発明に係る無線システム構成算出装置において、前記切替制御部は、過負荷状態であると判断された無線制御装置に接続している第１の無線送受信装置を新たに接続できると判断した無線制御装置が複数ある場合には、第１の無線送受信装置の通信エリアとより長く境界を接する通信エリアを有する第２の無線送受信装置を接続している無線制御装置を優先して、第１の無線送受信装置が接続する無線制御装置に選択する、ことを特徴とする。
【００１３】
本発明に係る無線システム構成算出装置において、前記切替制御部は、低負荷状態であると判断された無線制御装置に接続している第１の無線送受信装置を新たに接続できると判断した無線制御装置が複数ある場合には、複数の第１の無線送受信装置において新たに接続する先の無線制御装置として最も選択されていない無線制御装置を優先して、第１の無線送受信装置が接続する無線制御装置に選択する、ことを特徴とする。
【００１４】
本発明に係る無線システム構成算出装置においては、前記無線制御装置が前記負荷情報管理部および前記切替制御部を有し、第１の無線送受信装置が接続する無線制御装置を変更する際に、無線制御装置間で、第１の無線送受信装置が接続する無線制御装置を決定するための情報を交換する、ことを特徴とする。
【００１５】
本発明に係る無線システム構成算出方法は、複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出方法であり、無線制御装置のトラヒック負荷量と無線制御装置に接続している無線送受信装置のトラヒック負荷量を管理するステップと、第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定するステップと、を含むことを特徴とする。
【００１６】
本発明に係るコンピュータプログラムは、複数の無線送受信装置と前記複数の無線送受信装置を制御するための複数の無線制御装置との間の接続を設定可能な無線アクセスネットワークシステムにおいて、前記無線制御装置の各各に対してどの無線送受信装置を割り当てるのかを算出する無線システム構成算出処理を行うためのコンピュータプログラムであって、無線制御装置のトラヒック負荷量と無線制御装置に接続している無線送受信装置のトラヒック負荷量を管理するステップと、第１の無線送受信装置が接続する無線制御装置を変更する際に、第１の無線送受信装置に隣接する第２の無線送受信装置を接続している無線制御装置のトラヒック負荷量と第１の無線送受信装置のトラヒック負荷量とに基づいて、第２の無線送受信装置を接続している無線制御装置が第１の無線送受信装置を新たに接続できるかを判断し、この判断結果に基づいて、第１の無線送受信装置が接続する無線制御装置を決定するステップと、をコンピュータに実行させるためのコンピュータプログラムであることを特徴とする。
【発明の効果】
【００１７】
本発明によれば、複数の無線送受信装置と複数の無線制御装置との間の接続を設定可能な無線アクセスネットワークシステムにおいて、無線制御装置の各各に対してどの無線送受信装置を割り当てるのかを算出する際に、ハンドオーバの頻発を避けるように割り当てを行うことができるという効果が得られる。
【図面の簡単な説明】
【００１８】
【図１】本発明の第１実施形態に係る無線アクセスネットワーク（ＲＡＮ）システムの概略構成図である。
【図２】本発明の第１実施形態に係る無線管理装置１および無線制御部２の概略構成図である。
【図３】無線部配置テーブル３１の実施例である。
【図４】無線制御部テーブル３２の実施例である。
【図５】負荷情報テーブル３３の実施例である。
【図６】本発明の第１実施形態に係る無線システム構成算出方法の処理の手順を示すフローチャートである。
【図７】本発明の第２実施形態に係るＲＡＮシステムの概略構成図である。
【図８】本発明の第２実施形態に係る無線制御部２の概略構成図である。
【図９】負荷情報テーブル５１の実施例である。
【図１０】本発明の第２実施形態に係る無線システム構成算出方法の処理の手順を示すシーケンスチャートである。
【図１１】本発明の第２実施形態に係る無線システム構成算出方法の処理の手順を示すシーケンスチャートである。
【図１２】本発明の第２実施形態に係る無線システム構成算出方法の処理の手順を示すシーケンスチャートである。
【図１３】本発明の第３実施形態に係る無線システム構成算出方法の処理の手順を示すシーケンスチャートである。
【図１４】本発明の第３実施形態に係る無線システム構成算出方法の処理の手順を示すシーケンスチャートである。
【図１５】本発明の第３実施形態に係る無線システム構成算出方法の処理の手順を示すシーケンスチャートである。
【図１６】本発明に係る実施形態により無線部の接続の切替を行った実施例である。
【図１７】Cloud‐RANの構成例である。
【図１８】Cloud‐RANの構成例である。
【図１９】従来の技術により無線部の接続の切替を行った実施例である。
【発明を実施するための形態】
【００１９】
以下、図面を参照し、本発明の各実施形態について説明する。
【００２０】
［第１実施形態］
図１は、本発明の第１実施形態に係る無線アクセスネットワーク（ＲＡＮ）システムの概略構成図である。図１において、基地局機能は、無線制御部（Radio Control Unit：ＲＣＵ）２と無線部（Remote Radio Head：ＲＲＨ）５とに分離されている。無線部５は、無線送受信機能を有する。無線制御部２は、無線部５を制御する。無線制御部２及び無線部５には、それぞれを一意に特定することができる識別子（ＩＤ）が付与されている。
【００２１】
無線管理装置（RCU Management Unit：ＲＭＵ）１は、複数の無線制御部２に接続されている。また、無線管理装置１は、パケットゲートウェイ（ＰＧＷ）６に接続されており、パケットゲートウェイ６を介してインターネットなどの外部ネットワーク７に接続する。
【００２２】
無線制御部２は、スイッチ３を介してＷＤＭ−ＰＯＮに接続されており、ＷＤＭ−ＰＯＮ経由で無線部５に接続される。ＷＤＭ−ＰＯＮは、波長スイッチ４により波長分割多重（ＷＤＭ）で、無線制御部２と無線部５間を接続する。波長スイッチ４間は光ファイバーケーブルで接続される。１台の無線制御部２は、複数の無線部５と接続可能である。又、複数の無線部５と複数の無線制御部２との間の接続を任意に設定することができる。無線管理装置１、無線制御部２、スイッチ３、及び、無線制御部２側の波長スイッチ４は、同じ局舎８に設置されている。
【００２３】
無線管理装置１は、自己に接続する複数の無線制御部２と、それら複数の無線制御部２と接続可能な複数の無線部５との接続を管理する。本実施形態では、無線管理装置１は、無線システム構成算出機能を備える。無線システム構成算出機能は、複数の無線制御部２の各各に対して、どの無線部５を制御するように割り当てるのかを決める。
【００２４】
図２は、第１実施形態に係る無線管理装置１および無線制御部２の概略構成図である。図２において、無線管理装置１は、負荷情報受信部１１と負荷情報管理部１２と切替制御部１３を有する、無線制御部２は、負荷情報通知部２１と無線部切替部２２を有する。
【００２５】
負荷情報受信部１１は、無線制御部２の負荷情報通知部２１から、無線部５毎のトラヒック量のデータを受信する。負荷情報管理部１２は、各無線制御部２の無線部５毎のトラヒック量のデータを管理する。切替制御部１３は、負荷情報管理部１２で管理されるトラヒック量のデータに基づいて、無線部５と無線制御部２の接続の切替を制御する。切替制御部１３は、無線部切替部２２に対して、無線部５と無線制御部２の接続の切替を命令する。無線部切替部２２は、切替制御部１３からの命令に従って、無線部５と無線制御部２との接続を切り替える設定を行う。
【００２６】
なお、ある無線部５に接続された無線端末は、当該無線部５において無線制御部２の切替が発生した際には、無線制御部２に付与された無線制御部ＩＤをセルＩＤとみなすことにより、通常のハンドオーバ処理を行って無線制御部２の切替を行うことができる。
【００２７】
以下の説明において、無線部ＩＤがａである無線部５を無線部５（ａ）と記す。又、無線制御部ＩＤが１である無線制御部２を無線制御部２（１）と記す。
【００２８】
負荷情報管理部１２は、図３に例示される無線部配置テーブル３１と、図４に例示される無線制御部テーブル３２と、図５に例示される負荷情報テーブル３３を有する。
【００２９】
無線部配置テーブル３１は、無線部５の地理的な位置関係を示す情報を有する。図３に示す無線部配置テーブル３１には、無線部ＩＤと、この無線部ＩＤの無線部５に隣接する無線部５の無線部ＩＤ（隣接無線部ＩＤ）との組が格納される。無線部５（ａ）と無線部５（ｂ）とが隣接している（隣接関係にある）とは、無線部５（ａ）の通信エリアと無線部５（ｂ）の通信エリアとが重複していることを指す。図３の例は、６台の無線部５（ａ），（ｂ），（ｃ），（ｄ），（ｅ），（ｆ）が直線上に配置されていることを示している。
【００３０】
無線制御部テーブル３２は、無線制御部２と無線部５の接続関係を示す情報を有する。図４の例は、６台の無線制御部２（１），（２），（３），（４），（５），（６）のうち、無線制御部２（１）に３台の無線部５（ａ），（ｂ），（ｃ）が接続され、無線制御部２（２）に１台の無線部５（ｄ）が接続され、無線制御部２（３）に２台の無線部５（ｅ），（ｆ）が接続され、残りの無線制御部２（４），（５），（６）には無線部５が接続されていない、ことを示している。
【００３１】
負荷情報テーブル３３は、各無線制御部２のトラヒック負荷量を示す情報と、各無線部５のトラヒック負荷量を示す情報とを有する。図５の例では、無線制御部ＩＤと無線部ＩＤとを用いて情報を分類し、無線制御部２毎に、無線制御部２のトラヒック負荷量と、接続している各無線部５のトラヒック負荷量とを示している。
【００３２】
無線部５毎の負荷情報は、例えば以下の方法によって取得することができる。図５において、無線制御部２（１）に無線部５（ａ），（ｂ），（ｃ）が接続されている。無線制御部２（１）は、無線端末からの送信信号を無線部５（ａ），（ｂ），（ｃ）で受信した際に、各無線部５（ａ），（ｂ），（ｃ）での受信電力に各無線部ＩＤを関連付けて保持する。次いで、無線制御部２（１）に接続される無線端末を、受信電力が最も高い無線部５に分類する。次いで、各無線部５（ａ），（ｂ），（ｃ）に分類された無線端末に対して割り当てた無線リソース量を、各無線部５のトラヒック負荷量の情報とする。
【００３３】
次に、図６を参照して、第１実施形態に係る無線システム構成算出方法の処理の手順を説明する。図６は、本発明の第１実施形態に係る無線システム構成算出方法の処理の手順を示すフローチャートである。
【００３４】
（ステップＳ１）無線制御部２の負荷情報通知部２１は、自無線制御部２のトラヒック負荷量、及び自無線制御部２に接続される無線部５毎のトラヒック負荷量を、定期的に無線管理装置１へ送信する。トラヒック負荷量とは、例えば、現在の無線リソース使用率である。無線管理装置１の負荷情報受信部１１は、無線制御部２から受信したデータを負荷情報管理部１２へ出力する。負荷情報管理部１２は、負荷情報受信部１１から受け取ったデータを用いて、負荷情報テーブル３３を更新する。
【００３５】
（ステップＳ２）無線管理装置１の切替制御部１３は、高負荷閾値と低負荷閾値を用いて、負荷情報テーブル３３内の各無線制御部２のトラヒック負荷量を閾値判定する。高負荷閾値超過であるトラヒック負荷量を有する無線制御部２は高負荷無線制御部であると判定する。低負荷閾値未満であるトラヒック負荷量を有する無線制御部２は低負荷無線制御部であると判定する。高負荷閾値と低負荷閾値は、任意に設定可能なパラメータであり、予め設定される。
【００３６】
高負荷無線制御部は、過負荷状態であると判断された無線制御部２である。高負荷無線制御部は、高負荷無線制御部に接続された無線部５をトラヒック負荷量に余裕のある無線制御部２へ切替えてトラヒック負荷量のオフロードを行う、対象となる。例えば、切替遅延のためのマージンなどを考慮して、無線制御部２の無線リソース使用率が80％（高負荷閾値）を超えた場合に高負荷無線制御部と判断する。
【００３７】
低負荷無線制御部は、低負荷状態であると判断された無線制御部２である。低負荷無線制御部は、低負荷無線制御部に接続している無線部５の全てをトラヒック負荷量に余裕のある無線制御部２へ切替えて未使用の無線制御部２とする、対象となる。これにより、無線制御部２の無駄な使用を抑えることを図る。
【００３８】
（ステップＳ３）切替制御部１３は、高負荷無線制御部と低負荷無線制御部の中から一つを選択し、選択した無線制御部２に対して、ステップＳ４からＳ１６までの処理を実行する。切替制御部１３は、この処理を高負荷無線制御部と低負荷無線制御部の全てに対して行う。
【００３９】
（ステップＳ４）ステップＳ３で選択した無線制御部２が、高負荷無線制御部（対象高負荷無線制御部と称する）であればステップＳ５に進み、一方、低負荷無線制御部（対象低負荷無線制御部と称する）であればステップＳ１４に進む。
【００４０】
（ステップＳ５）切替制御部１３は、対象高負荷無線制御部に接続される無線部５のうち、他の無線制御部２に接続を切替えた場合に、対象高負荷無線制御部のトラヒック負荷量が高負荷閾値以下に下がる無線部５（単独切替候補無線部と称する）を判定する。このとき、一つの無線部５だけでは対象高負荷無線制御部のトラヒック負荷量が高負荷閾値以下に下がらない場合には、複数の無線部５から成る組合せを対象にして、対象高負荷無線制御部のトラヒック負荷量が高負荷閾値以下に下がる無線部５の組合せ（切替候補無線部組合せと称する）を判定する。以下、単独切替候補無線部および切替候補無線部組合せの無線部５を総称して切替候補無線部と称する。
【００４１】
（ステップＳ６）切替制御部１３は、無線部配置テーブル３１と無線制御部テーブル３２に基づいて、切替候補無線部と隣接関係にある無線部５を接続する無線制御部２（隣接切替先無線制御部候補と称する）を判定する。
【００４２】
（ステップＳ７）切替制御部１３は、負荷情報テーブル３３に基づいて、切替候補無線部と隣接切替先無線制御部候補の各トラヒック負荷量を求める。次いで、切替制御部１３は、切替候補無線部のトラヒック負荷量に対して、トラヒック負荷量に余裕のある隣接切替先無線制御部候補（隣接切替先無線制御部と称する）がある場合に、ステップＳ８に進む。一方、そのような隣接切替先無線制御部候補がない場合には、ステップＳ９に進む。
【００４３】
なお、切替制御部１３は、隣接切替先無線制御部が複数ある場合には、切替候補無線部の通信エリアとより長く境界を接する通信エリアを有する無線部５を接続する隣接切替先無線制御部を優先して選択する。このとき、切替制御部１３は、無線部配置テーブル３１と無線制御部テーブル３２に基づいて、切替候補無線部の通信エリアと最も長く境界を接する通信エリアを有する無線部５を判定する。
【００４４】
（ステップＳ８）切替制御部１３は、切替候補無線部が接続する無線制御部２と隣接切替先無線制御部に対して、切替候補無線部の接続を隣接切替先無線制御部に切り替えるように指示する。これにより、切替候補無線部は、隣接切替先無線制御部に接続が切り替えられる。この後、ステップＳ３に戻る。
【００４５】
（ステップＳ９）切替制御部１３は、負荷情報テーブル３３に基づいて、未使用の無線制御部２の有無を判定する。この結果、未使用の無線制御部２がある場合にはステップＳ１０に進み、未使用の無線制御部２がない場合にはステップＳ１１に進む。
【００４６】
（ステップＳ１０）切替制御部１３は、切替候補無線部が接続する無線制御部２と未使用の無線制御部２に対して、切替候補無線部の接続を未使用の無線制御部２に切り替えるように指示する。これにより、切替候補無線部は、未使用の無線制御部２に接続が切り替えられる。この後、ステップＳ３に戻る。
【００４７】
なお、ステップＳ１０では、複数の切替候補無線部がある場合には、他の無線制御部２に接続する無線部５の通信エリアとより長く境界を接する通信エリアを有する切替候補無線部を優先して、未使用の無線制御部２への接続の切替を行うようにする。
【００４８】
（ステップＳ１１）切替制御部１３は、負荷情報テーブル３３に基づいて、切替候補無線部と無線制御部２の各トラヒック負荷量を求める。次いで、切替制御部１３は、切替候補無線部のトラヒック負荷量に対して、トラヒック負荷量に余裕のある無線制御部２（切替先無線制御部と称する）がある場合に、ステップＳ１２に進む。一方、そのような無線制御部２がない場合には、ステップＳ１３に進む。
【００４９】
なお、切替制御部１３は、切替先無線制御部が複数ある場合には、他の無線制御部２に接続される無線部５の通信エリアとより長く境界を接する通信エリアを有する切替候補無線部を接続可能な切替先無線制御部を優先して選択する。
【００５０】
（ステップＳ１２）切替制御部１３は、切替候補無線部が接続する無線制御部２と切替先無線制御部に対して、切替候補無線部の接続を切替先無線制御部に切り替えるように指示する。これにより、切替候補無線部は、切替先無線制御部に接続が切り替えられる。この後、ステップＳ３に戻る。
【００５１】
なお、ステップＳ１１、Ｓ１２によって、ＲＡＮシステムの通信エリア内に異なる無線制御部２に接続する無線部５が乱立し、無線端末のハンドオーバ処理の発生頻度が増加する可能性がある。このため、ステップＳ１１、Ｓ１２を実行する対象には、ステップＳ２の高負荷閾値よりも高い閾値を用いてトラヒック負荷量の閾値判定を行い、当該閾値超過であるトラヒック負荷量を有する無線制御部２のみを対象とすることが好ましい。
【００５２】
（ステップＳ１３）切替制御部１３は、無線制御部２に対する無線部５の接続の切替処理を中止する。この後、ステップ３に戻る。
【００５３】
（ステップＳ１４）切替制御部１３は、対象低負荷無線制御部に接続されている全ての無線部５（切替候補無線部）に関して、無線部配置テーブル３１と無線制御部テーブル３２に基づいて、切替候補無線部と隣接関係にある無線部５を接続する無線制御部２（隣接切替先無線制御部候補）を判定する。
【００５４】
（ステップＳ１５）切替制御部１３は、負荷情報テーブル３３に基づいて、切替候補無線部と隣接切替先無線制御部候補の各トラヒック負荷量を求める。次いで、切替制御部１３は、切替候補無線部のトラヒック負荷量に対して、トラヒック負荷量に余裕のある隣接切替先無線制御部候補（隣接切替先無線制御部と称する）がある場合に、ステップＳ１６に進む。一方、そのような隣接切替先無線制御部候補がない場合には、ステップＳ１３に進む。
【００５５】
なお、隣接切替先無線制御部が複数ある場合には、複数の切替候補無線部において隣接切替先無線制御部として最も選択されていない隣接接続先無線制御部を優先して選択する。
【００５６】
（ステップＳ１６）切替制御部１３は、切替候補無線部が接続する無線制御部２と隣接切替先無線制御部に対して、切替候補無線部の接続を隣接切替先無線制御部に切り替えるように指示する。これにより、全ての切替候補無線部は、隣接切替先無線制御部に接続が切り替えられる。この後、ステップＳ３に戻る。
【００５７】
［第２実施形態］
図７は、本発明の第２実施形態に係るＲＡＮシステムの概略構成図である。この図７において図１の各部に対応する部分には同一の符号を付している。図７のＲＡＮシステムでは、各無線制御部２は、相互に通信できるようにメッシュ状に接続されている。又、各無線制御部２は、ＰＧＷ６に接続されており、パケットゲートウェイ６を介してインターネットなどの外部ネットワーク７に接続する。
【００５８】
図８は、第２実施形態に係る無線制御部２の概略構成図である。図８において、無線制御部２は、負荷情報取得部４１と負荷情報管理部４２と切替制御部４３を有する。負荷情報管理部４２は、図３と同様の無線部配置テーブル３１を有する。又、負荷情報管理部４２は、図９に示す負荷情報テーブル５１を有する。負荷情報テーブル５１は、自己の無線制御部２のトラヒック負荷量を示す情報と、自己の無線制御部２に接続されている無線部５の無線部ＩＤと、自己の無線制御部２に接続されている無線部５のトラヒック負荷量を示す情報とを有する。
【００５９】
第２実施形態では、無線制御部２と無線部５間の接続の変更は、無線制御部２間の分散処理により実行される。無線制御部２と無線部５間の接続の切替指示は、切替制御部４３からスイッチ３に通知される。スイッチ３は、その切替指示に従って、無線制御部２と無線部５間の接続を切り替える。
【００６０】
次に、図１０から図１２を参照して、第２実施形態に係る無線システム構成算出方法の処理の手順を説明する。図１０から図１２は、本発明の第２実施形態に係る無線システム構成算出方法の処理の手順を示すシーケンスチャートである。
【００６１】
まず図１０を参照して説明する。
（ステップＳ１０１）無線制御部２の負荷情報取得部４１は、自己の無線制御部２のトラヒック負荷量、および、自己の無線制御部２に接続される無線部５毎のトラヒック負荷量を算出する。無線制御部２の負荷情報管理部４２は、負荷情報取得部４１が算出したトラヒック負荷量の情報を負荷情報テーブル５１に格納する。トラヒック負荷量とは、例えば、現在の無線リソース使用率である。又、無線制御部２間で定期的に情報の共有を行い、個々の無線制御部２において、図４に示す無線制御部テーブル３２を作成して負荷情報管理部４２に具備する。
【００６２】
（ステップＳ１０２）無線制御部２の切替制御部４３は、高負荷閾値と低負荷閾値を用いて、負荷情報テーブル５１内の自己の無線制御部２のトラヒック負荷量を閾値判定する。トラヒック負荷量が高負荷閾値超過である場合には、自己の無線制御部２が高負荷であると判定する。トラヒック負荷量が低負荷閾値未満である場合には自己の無線制御部２が低負荷であると判定する。高負荷閾値と低負荷閾値は、任意に設定可能なパラメータであり、予め設定される。
【００６３】
（ステップＳ１０３）切替制御部４３は、自己の無線制御部２が高負荷であると判定した場合に、自己の無線制御部２に接続される無線部５のうち、他の無線制御部２に接続を切替えた場合に、自己の無線制御部２のトラヒック負荷量が高負荷閾値以下に下がる無線部５（単独切替候補無線部と称する）を判定する。このとき、一つの無線部５だけでは自己の無線制御部２のトラヒック負荷量が高負荷閾値以下に下がらない場合には、複数の無線部５から成る組合せを対象にして、自己の無線制御部２のトラヒック負荷量が高負荷閾値以下に下がる無線部５の組合せ（切替候補無線部組合せと称する）を判定する。以下、単独切替候補無線部および切替候補無線部組合せの無線部５を総称して切替候補無線部と称する。
【００６４】
一方、切替制御部４３は、自己の無線制御部２が低負荷であると判定した場合に、自己の無線制御部２に接続される全ての無線部５を、切替候補無線部とする。
【００６５】
切替制御部４３は、自己の無線制御部ＩＤ、自己の無線制御部２のトラヒック負荷量、切替候補無線部の無線部ＩＤ、及び各切替候補無線部のトラヒック負荷量の情報（切替対象情報と称する）を記録する。
【００６６】
（ステップＳ１０４）切替制御部４３は、他の無線制御部２に対して、切替変更リクエストメッセージをブロードキャストする。切替変更リクエストメッセージには、ステップＳ１０３で記録した切替対象情報とフラグ「０」を含める。
【００６７】
なお、切替変更リクエストメッセージは、ブロードキャストではなく、各無線制御部２にユニキャスト送信されてもよい。
【００６８】
（ステップＳ１０５）無線制御部２の切替制御部４３は、他の無線制御部２から切替変更リクエストメッセージを受信すると、該メッセージ内のフラグを確認する。そのフラグが０である場合、切替制御部４３は、自己の無線部配置テーブル３１に基づいて、自己の無線制御部２が切替変更リクエストメッセージ内の無線部ＩＤの切替候補無線部と隣接関係にある無線部５（隣接無線部と称する）を接続しているかを判定する。この結果、自己の無線制御部２が隣接無線部を接続している場合には、切替制御部４３は、切替変更リクエストメッセージから、隣接無線部と隣接関係にある切替候補無線部のトラヒック負荷量を読み出す。そして、切替制御部４３は、その読み出したトラヒック負荷量と自己の負荷情報テーブル５１内の自己の無線制御部２のトラヒック負荷量とに基づいて、自己の無線制御部２が、隣接無線部と隣接関係にある切替候補無線部を新たに接続できるかを判断する。この結果、接続可能である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【００６９】
（ステップＳ１０６）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、自己の無線制御部２が高負荷であるときには、切替変更応答メッセージで指定された切替候補無線部のうち他の無線制御部２に接続される無線部５の通信エリアと最も長く境界を接する切替候補無線部を指定した無線制御部２を優先して切替先無線制御部に選択する。
【００７０】
一方、複数の無線制御部２から切替変更応答メッセージを受信した場合において、自己の無線制御部２が低負荷であり、且つ、切替変更応答メッセージで指定された切替候補無線部が重複するときには、トラヒック負荷量がより少ない方の無線制御部２を優先して切替先無線制御部に選択する。
【００７１】
切替制御部４３は、切替先無線制御部に対して、切替候補無線部の接続の切替の実行を通知する。
【００７２】
（ステップＳ１０７）切替候補無線部の切替元と切替先の無線制御部２間で切替候補無線部の切替を実行する。
【００７３】
次に図１１を参照して説明する。図１１は、無線制御部２が高負荷と判定され、且つ、図１０のステップＳ１０５において切替候補無線部と隣接関係にある無線部５を接続する無線制御部２から切替変更応答メッセージを受け取ることができない場合の実施例である。
【００７４】
ステップＳ１０１からＳ１０５までは図１０と同様である。但し、ステップＳ１０５において、切替変更リクエストメッセージ（フラグ「０」）を受信した無線制御部２は隣接無線部を接続していないので、切替変更応答メッセージを返信しない。
【００７５】
（ステップＳ１０８）切替変更リクエストメッセージ（フラグ「０」）を送信した無線制御部２の切替制御部４３は、切替変更応答メッセージを受信できないと判断すると、フラグを１に変更した切替変更リクエストメッセージを他の無線制御部２にブロードキャストする。
【００７６】
（ステップＳ１０９）無線制御部２の切替制御部４３は、他の無線制御部２から切替変更リクエストメッセージを受信すると、該メッセージ内のフラグを確認する。そのフラグが１である場合、切替制御部４３は、自己の負荷情報テーブル５１に基づいて、自己の無線制御部２が未使用であるかを判定する。この結果、自己の無線制御部２が未使用である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【００７７】
（ステップＳ１１０）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、切替変更応答メッセージで指定された切替候補無線部が重複するときには、無作為に無線制御部２を選択して切替先無線制御部とする。
【００７８】
切替制御部４３は、切替先無線制御部に対して、切替候補無線部の接続の切替の実行を通知する。
【００７９】
（ステップＳ１１１）切替候補無線部の切替元と切替先の無線制御部２間で切替候補無線部の切替を実行する。
【００８０】
次に図１２を参照して説明する。図１２は、無線制御部２が高負荷と判定され、且つ、図１１のステップＳ１０９において未使用の無線制御部２から切替変更応答メッセージを受け取ることができない場合の実施例である。
【００８１】
ステップＳ１０１からＳ１０９までは図１１と同様である。但し、ステップＳ１０９において、切替変更リクエストメッセージ（フラグ「１」）を受信した無線制御部２は未使用でないので、切替変更応答メッセージを返信しない。
【００８２】
（ステップＳ１１２）切替変更リクエストメッセージ（フラグ「１」）を送信した無線制御部２の切替制御部４３は、切替変更応答メッセージを受信できないと判断すると、フラグを２に変更した切替変更リクエストメッセージを他の無線制御部２にブロードキャストする。
【００８３】
（ステップＳ１１３）無線制御部２の切替制御部４３は、他の無線制御部２から切替変更リクエストメッセージを受信すると、該メッセージ内のフラグを確認する。そのフラグが２である場合、切替制御部４３は、切替変更リクエストメッセージ内の切替候補無線部のトラヒック負荷量と自己の負荷情報テーブル５１内の自己の無線制御部２のトラヒック負荷量とに基づいて、当該切替候補無線部を新たに接続できるかを判断する。この結果、接続可能である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【００８４】
（ステップＳ１１４）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、切替変更応答メッセージで指定された切替候補無線部が重複するときには、トラヒック負荷量がより少ない方の無線制御部２を優先して切替先無線制御部に選択する。
【００８５】
（ステップＳ１１５）切替制御部４３は、切替先無線制御部に対して、切替候補無線部の接続の切替の実行を通知する。
【００８６】
（ステップＳ１１６）切替候補無線部の切替元と切替先の無線制御部２間で切替候補無線部の切替を実行する。
【００８７】
なお、切替変更リクエストメッセージ（フラグ「２」）を送信した無線制御部２の切替制御部４３は、切替変更応答メッセージを受信できないと判断すると、無線部５の切替処理を中止する。
【００８８】
［第３実施形態］
第３実施形態に係るＲＡＮシステムは図７と同様の構成である。又、第３実施形態に係る無線制御部２は図８と同様の構成である。負荷情報管理部４２は、図３と同様の無線部配置テーブル３１を有する。又、負荷情報管理部４２は、図９と同様の負荷情報テーブル５１を有する。
【００８９】
次に、図１３から図１５を参照して、第３実施形態に係る無線システム構成算出方法の処理の手順を説明する。図１３から図１５は、本発明の第３実施形態に係る無線システム構成算出方法の処理の手順を示すシーケンスチャートである。
【００９０】
まず図１３を参照して説明する。
（ステップＳ２０１）無線制御部２の負荷情報取得部４１は、自己の無線制御部２のトラヒック負荷量、および、自己の無線制御部２に接続される無線部５毎のトラヒック負荷量を算出する。トラヒック負荷量とは、例えば、現在の無線リソース使用率である。又、無線制御部２間で定期的に情報の共有を行い、個々の無線制御部２において、図５に示す負荷情報テーブル３３を作成して負荷情報管理部４２に具備する。
【００９１】
（ステップＳ２０２）無線制御部２の切替制御部４３は、高負荷閾値と低負荷閾値を用いて、負荷情報テーブル３３内の自己の無線制御部２のトラヒック負荷量を閾値判定する。トラヒック負荷量が高負荷閾値超過である場合には、自己の無線制御部２が高負荷であると判定する。トラヒック負荷量が低負荷閾値未満である場合には自己の無線制御部２が低負荷であると判定する。高負荷閾値と低負荷閾値は、任意に設定可能なパラメータであり、予め設定される。
【００９２】
（ステップＳ２０３）切替制御部４３は、自己の無線制御部２が高負荷であると判定した場合に、自己の無線制御部２に接続される無線部５のうち、他の無線制御部２に接続を切替えた場合に、自己の無線制御部２のトラヒック負荷量が高負荷閾値以下に下がる無線部５（単独切替候補無線部と称する）を判定する。このとき、一つの無線部５だけでは自己の無線制御部２のトラヒック負荷量が高負荷閾値以下に下がらない場合には、複数の無線部５から成る組合せを対象にして、自己の無線制御部２のトラヒック負荷量が高負荷閾値以下に下がる無線部５の組合せ（切替候補無線部組合せと称する）を判定する。以下、単独切替候補無線部および切替候補無線部組合せの無線部５を総称して切替候補無線部と称する。
【００９３】
一方、切替制御部４３は、自己の無線制御部２が低負荷であると判定した場合に、自己の無線制御部２に接続される全ての無線部５を、切替候補無線部とする。
【００９４】
切替制御部４３は、自己の無線制御部ＩＤ、自己の無線制御部２のトラヒック負荷量、切替候補無線部の無線部ＩＤ、及び各切替候補無線部のトラヒック負荷量の情報（切替対象情報と称する）を記録する。
【００９５】
（ステップＳ２０４）切替制御部４３は、無線部配置テーブル３１、負荷情報テーブル３３及び切替対象情報に基づいて、切替候補無線部と隣接関係にある無線部５を接続している無線制御部２（隣接無線制御部と称する）を判定する。次いで、切替制御部４３は、負荷情報テーブル３３内の隣接無線制御部のトラヒック負荷量と切替対象情報内の切替候補無線部のトラヒック負荷量とに基づいて、隣接無線制御部が当該切替候補無線部を新たに接続できるかを判断する。この結果、接続可能である場合には、切替制御部４３は、当該隣接無線制御部を当該切替候補無線部に関する隣接切替先無線制御部とする。
【００９６】
（ステップＳ２０５）切替制御部４３は、隣接切替先無線制御部に対して、切替変更リクエストメッセージをユニキャスト送信する。切替変更リクエストメッセージには、隣接切替先無線制御部に新たに接続可能と判定された切替候補無線部の無線部ＩＤ、該切替候補無線部のトラヒック負荷量、自己の無線制御部２の無線制御部ＩＤ、及び自己の無線制御部２のトラヒック負荷量の情報を含める。
【００９７】
（ステップＳ２０６）無線制御部２の切替制御部４３は、他の無線制御部２から切替変更リクエストメッセージを受信すると、切替変更リクエストメッセージから切替候補無線部のトラヒック負荷量を読み出す。そして、切替制御部４３は、その読み出したトラヒック負荷量と自己の負荷情報テーブル３３内の自己の無線制御部２のトラヒック負荷量とに基づいて、自己の無線制御部２が、当該切替候補無線部を新たに接続できるかを判断する。この結果、接続可能である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【００９８】
（ステップＳ２０７）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、自己の無線制御部２が高負荷であるときには、切替変更応答メッセージで指定された切替候補無線部のうち他の無線制御部２に接続される無線部５の通信エリアと最も長く境界を接する切替候補無線部を指定した無線制御部２を優先して切替先無線制御部に選択する。
【００９９】
一方、複数の無線制御部２から切替変更応答メッセージを受信した場合において、自己の無線制御部２が低負荷であり、且つ、切替変更応答メッセージで指定された切替候補無線部が重複するときには、トラヒック負荷量がより少ない方の無線制御部２を優先して切替先無線制御部に選択する。
【０１００】
切替制御部４３は、切替先無線制御部に対して、切替候補無線部の接続の切替の実行を通知する。
【０１０１】
（ステップＳ２０８）切替候補無線部の切替元と切替先の無線制御部２間で切替候補無線部の切替を実行する。
【０１０２】
次に図１４を参照して説明する。図１４は、無線制御部２が高負荷と判定され、且つ、図１３のステップＳ２０６において隣接切替先無線制御部から切替変更応答メッセージを受け取ることができない場合の実施例である。
【０１０３】
ステップＳ２０１からＳ２０６までは図１３と同様である。但し、ステップＳ２０６において、切替変更リクエストメッセージを受信した無線制御部２は切替変更応答メッセージを返信しない。
【０１０４】
（ステップＳ２０９）隣接切替先無線制御部に対して切替変更リクエストメッセージを送信した無線制御部２の切替制御部４３は、切替変更応答メッセージを受信できないと判断すると、負荷情報テーブル３３に基づいて、未使用である無線制御部２（未使用無線制御部と称する）を判定する。
【０１０５】
（ステップＳ２１０）切替制御部４３は、未使用無線制御部に対して、切替変更リクエストメッセージをユニキャスト送信する。切替変更リクエストメッセージには、切替候補無線部の無線部ＩＤ、該切替候補無線部のトラヒック負荷量、自己の無線制御部２の無線制御部ＩＤ、及び自己の無線制御部２のトラヒック負荷量の情報を含める。
【０１０６】
（ステップＳ２１１）無線制御部２の切替制御部４３は、他の無線制御部２から切替変更リクエストメッセージを受信すると、切替変更リクエストメッセージから切替候補無線部のトラヒック負荷量を読み出す。そして、切替制御部４３は、その読み出したトラヒック負荷量と自己の負荷情報テーブル３３内の自己の無線制御部２のトラヒック負荷量とに基づいて、自己の無線制御部２が、当該切替候補無線部を新たに接続できるかを判断する。この結果、接続可能である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【０１０７】
（ステップＳ２１２）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、切替変更応答メッセージで指定された切替候補無線部が重複するときには、無作為に無線制御部２を選択して切替先無線制御部とする。
【０１０８】
切替制御部４３は、切替先無線制御部に対して、切替候補無線部の接続の切替の実行を通知する。
【０１０９】
（ステップＳ２１３）切替候補無線部の切替元と切替先の無線制御部２間で切替候補無線部の切替を実行する。
【０１１０】
次に図１５を参照して説明する。図１５は、無線制御部２が高負荷と判定され、且つ、図１４のステップＳ２０６において隣接切替先無線制御部から切替変更応答メッセージを受け取ることができず、且つ、図１４のステップＳ２０９において未使用無線制御部がない場合の実施例である。
【０１１１】
ステップＳ２０１からＳ２０９までは図１４と同様である。但し、ステップＳ２０９において切替制御部４３は、未使用無線制御部が無いと判定する。
【０１１２】
（ステップＳ２１４）切替制御部４３は、無線部配置テーブル３１、負荷情報テーブル３３及び切替対象情報に基づいて、切替候補無線部と隣接関係にない無線部５を接続している無線制御部２（非隣接無線制御部と称する）を判定する。次いで、切替制御部４３は、負荷情報テーブル３３内の非隣接無線制御部のトラヒック負荷量と切替対象情報内の切替候補無線部のトラヒック負荷量とに基づいて、非隣接無線制御部が当該切替候補無線部を新たに接続できるかを判断する。この結果、接続可能である場合には、切替制御部４３は、当該非隣接無線制御部を当該切替候補無線部に関する非隣接切替先無線制御部とする。
【０１１３】
（ステップＳ２１５）切替制御部４３は、非隣接切替先無線制御部に対して、切替変更リクエストメッセージをユニキャスト送信する。切替変更リクエストメッセージには、非隣接切替先無線制御部に新たに接続可能と判定された切替候補無線部の無線部ＩＤ、該切替候補無線部のトラヒック負荷量、自己の無線制御部２の無線制御部ＩＤ、及び自己の無線制御部２のトラヒック負荷量の情報を含める。
【０１１４】
（ステップＳ２１６）無線制御部２の切替制御部４３は、他の無線制御部２から切替変更リクエストメッセージを受信すると、切替変更リクエストメッセージから切替候補無線部のトラヒック負荷量を読み出す。そして、切替制御部４３は、その読み出したトラヒック負荷量と自己の負荷情報テーブル３３内の自己の無線制御部２のトラヒック負荷量とに基づいて、自己の無線制御部２が、当該切替候補無線部を新たに接続できるかを判断する。この結果、接続可能である場合には、切替制御部４３は、切替変更リクエストメッセージを送信した無線制御部２に対して、切替対象となる切替候補無線部の無線部ＩＤ、隣接無線部の無線部ＩＤ、自己の無線制御部２の無線制御部ＩＤ、及び、自己の無線制御部２のトラヒック負荷量の情報を有する切替変更応答メッセージを返信する。
【０１１５】
（ステップＳ２１７）無線制御部２の切替制御部４３は、他の無線制御部２から切替変更応答メッセージを受信すると、切替変更応答メッセージに基づいて、切替候補無線部を切り替える先の無線制御部２（切替先無線制御部）を特定する。このとき、複数の無線制御部２から切替変更応答メッセージを受信した場合において、切替変更応答メッセージで指定された切替候補無線部が重複するときには、トラヒック負荷量がより少ない方の無線制御部２を優先して切替先無線制御部に選択する。
【０１１６】
切替制御部４３は、切替先無線制御部に対して、切替候補無線部の接続の切替の実行を通知する。
【０１１７】
（ステップＳ２１８）切替候補無線部の切替元と切替先の無線制御部２間で切替候補無線部の切替を実行する。
【０１１８】
なお、非隣接切替先無線制御部に対して切替変更リクエストメッセージを送信した無線制御部２の切替制御部４３は、切替変更応答メッセージを受信できないと判断すると、無線部５の切替処理を中止する。
【０１１９】
図１６は、本発明に係る実施形態により無線部の接続の切替を行った実施例である。本発明に係る実施形態によれば、切替候補無線部に隣接する無線部を接続する無線制御部を優先して、切替候補無線部の接続を切り替える先の無線制御部に選択する。これにより、図１７の無線制御部のトラヒック負荷量の状態から図１８の無線制御部のトラヒック負荷量の状態に変化した場合に、無線部の接続の切替を行うと、図１６に例示されるように、無線制御部２−１に接続する無線部fと無線部gが、隣接する無線部hと無線部iが接続する無線制御部２−２に、接続が切り替えられる。この結果、無線部ｃに在圏する無線端末４００が経路５００を移動する場合に、無線端末４００が接続する無線制御部は、無線制御部２−１から無線制御部２−２、そして無線制御部２−３の順に推移する。これにより、従来（図１９）と比較してハンドオーバ処理を低減させることができる。
【０１２０】
以上、本発明の実施形態について図面を参照して詳述してきたが、具体的な構成はこの実施形態に限られるものではなく、本発明の要旨を逸脱しない範囲の設計変更等も含まれる。
【０１２１】
また、図２又は図８に示す各部の機能を実現するためのプログラムをコンピュータ読み取り可能な記録媒体に記録して、この記録媒体に記録されたプログラムをコンピュータシステムに読み込ませ、実行することにより、無線システム構成算出処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１２２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２３】
１…無線管理装置、２…無線制御部、１１…負荷情報受信部、１２…負荷情報管理部（無線システム構成算出装置）、１３…切替制御部（無線システム構成算出装置）、２１…負荷情報通知部、２２…無線部切替部、４１…負荷情報取得部、４２…負荷情報管理部（無線システム構成算出装置）、４３…切替制御部（無線システム構成算出装置）
【図１】
2013211783.tif 000003
【図２】
2013211783.tif 000004
【図３】
2013211783.tif 000005
【図４】
2013211783.tif 000006
【図５】
2013211783.tif 000007
【図６】
2013211783.tif 000008
【図７】
2013211783.tif 000009
【図８】
2013211783.tif 000010
【図９】
2013211783.tif 000011
【図１０】
2013211783.tif 000012
【図１１】
2013211783.tif 000013
【図１２】
2013211783.tif 000014
【図１３】
2013211783.tif 000015
【図１４】
2013211783.tif 000016
【図１５】
2013211783.tif 000017
【図１６】
2013211783.tif 000018
【図１７】
2013211783.tif 000019
【図１８】
2013211783.tif 000020
【図１９】
2013211783.tif 000021